【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
サーフボードに使用される調整可能なフィンであって、該調整可能なフィンは、
該調整可能なフィンをサーフボードに取り付けるマウントと、
前記マウントとは反対の方向に延在する挿入部材と、
を備える、ベースと、
前縁及び後縁において接する２つのフィン外面と、
フィンセクション内の内部キャビティに対する開口を有し、該フィンセクション内の前記内部キャビティは、前記ベースの前記挿入部材を収容するとともに、前記前縁又は前記後縁に向かう方向における前記挿入部材の摺動を可能にするように構成される、下面と、
操作可能であり前記内部キャビティ内に突出する係止部であって、該係止部は、２つ以上の係止位置のうちの１つにおいて前記挿入部材に解除可能に連結し、それにより前記挿入部材の摺動を阻止することができる、前記係止部と、
を備える、前記フィンセクションと、
を備え、
前記フィンセクションは、第１の係止位置において前記係止部を前記挿入部材から離脱させるために前記フィン外面から前記係止部を操作すること、前記挿入部材を前記内部キャビティに通して摺動させること、及び第２の係止位置において前記係止部を前記挿入部材に解除可能に連結することによって、前記ベースに対して調整することができるように構成される、調整可能なフィン。
【請求項２】
前記係止部は、係止位置において前記挿入部材に解除可能に連結されるように付勢される、請求項１に記載の調整可能なフィン。
【請求項３】
前記係止部は、前記フィン外面に該係止部を操作するボタンを備え、該ボタンを押すことにより、前記係止部が前記挿入部材から離脱する、請求項１又は２に記載の調整可能なフィン。
【請求項４】
前記ボタンを解放することにより、前記係止部が前記挿入部材に解除可能に連結される
、請求項３に記載の調整可能なフィン。
【請求項５】
押されていない前記ボタンの表面は、前記フィン外面と同一平面になる、請求項３又は４に記載の調整可能なフィン。
【請求項６】
前記調整可能なフィンがサーフボードに取り付けられている場合、ユーザーが手で十分な力を加えることで、前記ボタンを押し、前記ベースに対する前記フィンセクションの位置を調整することができる、請求項３〜５のいずれか１項に記載の調整可能なフィン。
【請求項７】
前記挿入部材は平面である、請求項１〜６のいずれか１項に記載の調整可能なフィン。
【請求項８】
前記挿入部材は穴を有し、該穴は、前記係止部を受けるように構成されている、請求項１〜７のいずれか１項に記載の調整可能なフィン。
【請求項９】
前記係止部は、前記穴における２つ以上の係止位置のうちの任意の１つにおいて前記挿入部材に解除可能に連結する、請求項８に記載の調整可能なフィン。
【請求項１０】
前記穴は１つ又は複数の歯部を有し、該歯部の両側には谷部があり、該谷部は係止位置を形成する、請求項８又は９に記載の調整可能なフィン。
【請求項１１】
前記１つ又は複数の歯部は、前記下面に対して平行に位置合わせされる、請求項１０に記載の調整可能なフィン。
【請求項１２】
前記１つ又は複数の歯部は、前記下面から離れる方向を向く、請求項１０又は１１に記載の調整可能なフィン。
【請求項１３】
前記係止部の少なくとも一部は谷部における係止位置に収まり、それにより、前記係止部が前記挿入部材に連結され、前記係止部の少なくとも一部はボタンを押すことにより、前記歯部が前記係止部のスロットと位置合わせされ、前記係止部が前記挿入部材から離脱するとともに前記スロットを通る前記歯部の摺動が可能になるように構成される、請求項１０〜１２のいずれか１項に記載の調整可能なフィン。
【請求項１４】
前記係止部が前記谷部と位置合わせされている場合に前記ボタンを解放することにより、前記係止部が前記挿入部材に解除可能に連結されるように構成される、請求項１３に記載の調整可能なフィン。
【請求項１５】
前記フィンセクションには第２のフィンセクションが１つ又は複数の取付具によって取り付けられ、該第２のフィンセクションは、前縁及び後縁において接する２つのフィン外面と、下面とを有する、請求項１〜１４のいずれか１項に記載の調整可能なフィン。
【請求項１６】
前記１つ又は複数の取付具は、１つ又は複数のリブを備える、請求項１５に記載の調整可能なフィン。
【請求項１７】
前記１つ又は複数の取付具は、前記フィンセクションと前記第２のフィンセクションとの間におよそ０．２５ｍｍ〜１．５ｍｍの最小距離を保つ、請求項１５又は１６に記載の調整可能なフィン。
【請求項１８】
前記フィンセクション及び前記第２のフィンセクションは、同じ方向を向く平坦なフィン外面と湾曲したフィン外面とを有するフラットフォイルを備え、
前記第２のフィンセクションは、前記フィンセクションに対して平行に位置決めされ、
前記第２のフィンセクションの前記前縁は、前記フィンセクションの前記前縁と位置合わせされないようにオフセットされる、請求項１５〜１７のいずれか１項に記載の調整可能なフィン。
【請求項１９】
前記調整可能なフィンは、水が通過することができる、前記第２のフィンセクションを通る少なくとも１つの通路を有し、該通路は、前記平坦なフィン外面に開口を有し、また前記湾曲したフィン外面に開口を有し、該湾曲したフィン外面の該開口は、前記第２のフィンセクションの前記後縁と、前記フィンセクションと前記第２のフィンセクションとの間の最小距離との間に位置し、
前記平坦なフィン外面における前記通路の前記開口は、前記第２のフィンセクションの前記湾曲したフィン外面における前記通路の前記開口よりも、前記第２のフィンセクションの前記前縁に対して近くに位置し、
水が、前記平坦なフィン外面の前記開口に入り、前記通路を通過し、前記湾曲したフィン外面の前記開口を通って出ることができる、請求項１８に記載の調整可能なフィン。
【請求項２０】
前記調整可能なフィンは、水が通過することができる、前記第２のフィンセクションを通る少なくとも１つの通路を有し、該通路は、前記第２のフィンセクションの各フィン外面に開口を有し、該開口を通って水が出入りすることができる、請求項１５〜１８のいずれか１項に記載の調整可能なフィン。
【請求項２１】
前記調整可能なフィンは、延長されたベースを備え、前記調整可能なフィンがサーフボードに装着される場合、前記延長されたベースは、前記サーフボードの外面と前記フィンセクションの前記下面との間に隙間を形成する、請求項１〜２０のいずれか１項に記載の調整可能なフィン。
【請求項２２】
前記１つ又は複数のマウントは、市販されているフィンプラグ及びフィンボックスシステムに取り付けることが可能な装着ブロックである、請求項１〜２１のいずれか１項に記載の調整可能なフィン。
【請求項２３】
前記マウントは、前記調整可能なフィンをサーフボードの外面に装着するベース取付け面及び接着剤を含む、請求項１〜２２のいずれか１項に記載の調整可能なフィン。
【請求項２４】
サーフボード、ショートボード、ニーボード、ロングボード、ミニマル、ソフトボード、カイトボード、ウィンドサーファー、スタンドアップパドルボード、ウェイクボード、レスキューボード、ボディボード、又は水面スポーツ若しくはアクティビティに使用する別のボードを含む群のボードのうちの任意の１つに装着される、請求項１〜２３のいずれか１項に記載の調整可能なフィン。
【請求項２５】
請求項１〜２４のいずれか１項に記載の調整可能なフィンを、サーフボード、ショートボード、ニーボード、ロングボード、ミニマル、ソフトボード、カイトボード、ウィンドサーファー、スタンドアップパドルボード、ウェイクボード、レスキューボード、ボディボード、又は水面スポーツ若しくはアクティビティに使用する別のボードを含む群のボードのうちの任意の１つに装着するステップを含む方法。